(57)【要約】【課題】階調データを単方向に転送する回路ブロックをカスケード接続して駆動回路を構成する場合において、その駆動用のクロック周波数等を低減することができる電気光学装置を提供する。【解決手段】多数の電気光学素子を含む矩形の電気光学基板１と、単一方向に階調データを転送するとともに前記電気光学素子を駆動する複数個のドライバＩＣＤｒ１乃至ＤｒＮを２つのグループに分割して各グループ毎にドライバＩＣＤｒ１乃至ＤｒＮをカスケード接続してなるデータ線駆動回路２００Ａ，２００Ｂとを有し、ドライバＩＣＤｒ１乃至ＤｒＮの半分を、電気光学基板１の一辺に沿ってその表面に配設する一方、ドライバＩＣＤｒ１乃至ＤｒＮの残りの半分を、電気光学基板１の前記一辺に沿って電気光学基板１の裏面側でこの電気光学基板１とは別の基板であるＦＰＣ２０６の裏面に配設した。【選択図】図４
2007114346.tif 000002
【特許請求の範囲】
【請求項１】
多数の電気光学素子を含む電気光学基板と、
前記電気光学素子の駆動に必要な信号を単一方向に転送するとともに前記電気光学素子を駆動する複数個の回路ブロックを２つのグループに分割して各グループ毎に前記回路ブロックをカスケード接続してなる駆動回路とを有し、
前記回路ブロックの半分を、前記電気光学基板の一辺に沿ってこの電気光学基板の表面に配設する一方、
前記回路ブロックの残りの半分を、前記電気光学基板の前記一辺に沿って前記電気光学基板の裏面側でこの電気光学基板とは別の基板の裏面に配設したことを特徴とする電気光学装置。
【請求項２】
請求項１に記載の電気光学装置において、
前記各グループにおける端部の回路ブロックから中央の回路ブロックに向けて前記信号がそれぞれ転送されるように構成したことを特徴とする電気光学装置。
【請求項３】
請求項１に記載の電気光学装置において、
前記各グループにおける中央の回路ブロックから端部の回路ブロックに向けて前記信号がそれぞれ転送されるように構成したことを特徴とする電気光学装置。
【請求項４】
請求項１乃至請求項３のいずれか一つに記載の電気光学装置において、
電気光学基板に配設した回路ブロックは、隣接する回路ブロックを接続する接続路のうち少なくとも一部の接続路が前記電気光学基板とは別基板に形成されていることを特徴とする電気光学装置。
【請求項５】
請求項１乃至請求項３のいずれか一つに記載の電気光学装置において、
前記別の基板に配設した回路ブロックは、この別の基板に形成された接続路で隣接する回路ブロックが接続されていることを特徴とする電気光学装置。
【請求項６】
請求項１乃至請求項５の何れか一つに記載の電気光学装置において、
前記回路ブロックの半分はガラス基板上にＣＯＧ実装するとともに、残りの半分はフィルム上にＣＯＦ実装したことを特徴とする電気光学装置。
【請求項７】
多数の電気光学素子を含む電気光学基板と、
前記電気光学素子の駆動に必要な信号を単一方向に転送するとともに前記電気光学素子を駆動する複数個の回路ブロックを２つのグループに分割して各グループ毎に前記回路ブロックをカスケード接続してなる駆動回路とを有し、
前記回路ブロックの半分を、前記電気光学基板の一辺に沿ってこの電気光学基板の表面
側でこの電気光学基板とは別の基板の表面に配設する一方、
前記回路ブロックの残りの半分を、前記電気光学基板の前記一辺に沿って前記電気光学基板の裏面側でこの電気光学基板とは別の基板の裏面に配設したことを特徴とする電気光学装置。
【請求項８】
請求項７に記載の電気光学装置において、
前記各グループにおける端部の回路ブロックから中央の回路ブロックに向けて前記信号がそれぞれ転送されるように構成したことを特徴とする電気光学装置。
【請求項９】
請求項７に記載の電気光学装置において、
前記各グループにおける中央の回路ブロックから端部の回路ブロックに向けて前記信号がそれぞれ転送されるように構成したことを特徴とする電気光学装置。
【請求項１０】
請求項１乃至請求項９の何れか一つの電気光学装置を有することを特徴とする電子機器。
【発明の詳細な説明】
【技術分野】
【０００１】
本発明は電気光学装置及び電子機器に関し、特に各種信号を単方向に転送する回路ブロックをカスケード接続して電気光学素子を駆動する駆動回路を構成する場合に適用して有用なものである。
【背景技術】
【０００２】
液晶表示装置に代わる電気光学装置として、有機発光ダイオード素子（以下、ＯＬＥＤ素子と称する。）を備えた装置が注目されている。ＯＬＥＤ（Organic Light Emitting Diode）素子は、電気的にはダイオードのように動作し、光学的には、順バイアス時に発光して順バイアス電流の増加にともなって発光輝度が増加する。
【０００３】
ＯＬＥＤ素子をマトリクス状に配列した電気光学装置は、複数の走査線と、複数のデータ線を備え、走査線とデータ線の交差部に対応して画素回路が設けられている。すなわち、マトリクス状に配設した画素回路で表示部である画素領域を形成している。ここで、画素回路は、データ線から供給される電流の値を記憶し、記憶した電流値に対応する駆動電流をＯＬＥＤ素子に供給する機能を有する。
【０００４】
かかる電気光学装置においては、複数のデータ線に対して表示すべき階調に応じた電流信号である階調データＩdataを各々供給するデータ線駆動回路を設けている。ここで、当該電気光学装置の画素領域が大型化した場合、そのデータ線駆動回路は、通常複数の回路ブロックに分割するとともに、階調データや各種の制御信号等の伝送路を各回路ブロックに備え、さらに隣接する回路ブロックを接続路で順次接続するカスケード接続方式が多用されている。
【０００５】
かかるカスケード接続方式を採用する従来技術に係る電気光学装置の模式図を図１０に示す。同図に示すように、当該電気光学装置において、ガラス基板である電気光学基板１上には、画像領域Ａ及びデータ線駆動回路２００が形成されている。
【０００６】
画像領域Ａは、画素となる電気光学素子をマトリクス状に配設してなり、表示部として機能する領域である。データ線駆動回路２００は複数の回路ブロックであるドライバＩＣＤｒ１乃至ＤｒＮからなり、各ドライバＩＣＤｒ１乃至ＤｒＮは隣接するもの同士を接続路２０１で接続して、制御回路（図示せず）が送出するＸ転送開始パルスＤＸ、Ｘクロック信号ＸＣＬＫ、階調データＤｏｕｔ（階調信号を生成するためのデジタルデータ。以下同じ。）をＦＦＣ（Ｆｌｅｘｉｂｌｅ  Ｆｌａｔ  Ｃａｂｌｅ）２０２を介して入力するとともに制御回路からの階調データＤｏｕｔを隣接するドライバＩＣＤｒ１乃至ＤｒＮに順次カスケード伝送するように構成してある。
【０００７】
図１０に示すようにドライバＩＣＤｒ１乃至ＤｒＮを電気光学基板１に配設してカスケード接続する方式は、ＦＦＣ２０１やプリント回路基板（ＰＣＢ）を大きくしないで済むというメリットを有するが、電気光学基板１が大型化したり、画像領域Ａの電気光学素子（ＯＬＥＤ素子）の数が増大するにつれてクロック信号の周波数を上げる必要があり、電気光学基板１における接続路２０１等の信号線における配線容量が無視できなくなる。また、電源線の配線抵抗が増大して電源電圧が揺らぐという問題もある。
【０００８】
かかる問題を解決する方法として図１１に示すような電気光学装置が考えられる。これは、階調データ等の各種信号や電源電圧の供給を電気光学基板１の両側から半分づつ供給する方式である。すなわち、データ線駆動回路２００を構成するドライバＩＣＤｒ１乃至ＤｒＮを２つのグループに分割するとともに、階調データ等の各種信号を電気光学基板１の両側からＦＦＣ２０２，２０３を介して各グループに供給する。
【０００９】
図１１に示すように構成することで、クロック信号の周波数を半分にでき、また電源の負荷を半分にしてその電源電圧の安定化を図ることができる。
【００１０】
同様の作用・効果は、図１２に示すような電気光学装置でも実現できる。同図に示す電気光学装置は、データ線駆動回路２００を構成するドライバＩＣＤｒ１乃至ＤｒＮを２つのグループに分割するとともに、階調データ等の各種信号を電気光学基板１の中央部からＦＦＣ２０４を介して各グループに供給するものである。
【００１１】
図１１及び図１２に示すように、データ線駆動回路２００を構成するドライバＩＣＤｒ１乃至ＤｒＮを２つのグループに分割することによりクロック信号の周波数等を半分にすることはできる。ただ、これらの場合にはドライバＩＣＤｒ１乃至ＤｒＮにおける階調データの転送方向が異なる２種類の回路を用意する必要がある。すなわち、一般にドライバＩＣＤｒ１乃至ＤｒＮはシフトレジスタを内蔵しているが、図１１及び図１２における左半分のグループに属するドライバＩＣＤｒ１，Ｄｒ２は、左から右又は右から左に階調データを転送させるのに対し、右半分のグループに属するドライバＩＣＤｒ（Ｎ−１）、ＤｒＮは、右から左又は左から右に階調データを転送させる必要がある。
【００１２】
したがって、双方向の階調データ転送機能を有するドライバＩＣＤｒ１乃至ＤｒＮを形成するか、又は転送方向が異なる２種類のドライバＩＣＤｒ１乃至ＤｒＮを用意する必要がある。この結果、前者の場合にはコストの高騰とともに回路の大型化を招来し、後者の場合には余分なコストが発生するという問題がある。
【００１３】
なお、本発明に関連する公知文献としては次の公報を挙げることができる。
【００１４】
【特許文献１】特開２００１−１７４８４３号公報
【発明の開示】
【発明が解決しようとする課題】
【００１５】
本発明は、上記従来技術の問題点に鑑み、階調データを単方向に転送する回路ブロックをカスケード接続して駆動回路を構成する場合において、その駆動用のクロック周波数等を低減することができる電気光学装置及び電子機器を提供することを目的とする。
【課題を解決するための手段】
【００１６】
上記目的を達成する本発明の第１の態様は、
多数の電気光学素子を含む電気光学基板と、
前記電気光学素子の駆動に必要な信号を単一方向に転送するとともに前記電気光学素子を駆動する複数個の回路ブロックを２つのグループに分割して各グループ毎に前記回路ブロックをカスケード接続してなる駆動回路とを有し、
前記回路ブロックの半分を、前記電気光学基板の一辺に沿ってこの電気光学基板の表面に配設する一方、
前記回路ブロックの残りの半分を、前記電気光学基板の前記一辺に沿って前記電気光学基板の裏面側でこの電気光学基板とは別の基板の裏面に配設したことを特徴とする電気光学装置である。
かかる第１の態様によれば、単一方向に信号を転送する回路ブロックであっても、半分の回路ブロックは実装面が反転しているので、２種類の回路ブロック毎に反対方向に向けて信号を転送することにより所定の転送を行うことができる。
【００１７】
この結果、回路ブロックにおける階調データの転送方向が単方向であってもクロック信号周波数を半分に低減でき、また電源の負荷も半分にすることができる。
【００１８】
本発明の第２の態様は、
上記第１の態様において、
前記各グループにおける端部の回路ブロックから中央の回路ブロックに向けて前記信号がそれぞれ転送されるように構成したことを特徴とする電気光学装置である。
かかる第２の態様によれば、端部の回路ブロックから中央の回路ブロックに向けて信号を転送することで、第１の実施の態様と同様の作用・効果を得る。
【００１９】
本発明の第３の態様は、
上記第１の態様において、
前記各グループにおける中央の回路ブロックから端部の回路ブロックに向けて前記信号がそれぞれ転送されるように構成したことを特徴とする電気光学装置である。
かかる第３の態様によれば、中央の回路ブロックから端部の回路ブロックに向けて信号を転送することで、第１の実施の態様と同様の作用・効果を得る。このとき、信号を中央部からそれぞれのグループに供給することができるので、かかる入力部分のレイアウトを合理的なものとすることができる。
【００２０】
本発明の第４の態様は、
上記第１乃至第３の態様のいずれか一つにおいて、
電気光学基板に配設した回路ブロックは、隣接する回路ブロックを接続する接続路のうち少なくとも一部の接続路が前記電気光学基板とは別基板に形成されていることを特徴とする電気光学装置である。
かかる第４の態様によれば別基板を利用することで電気光学基板の面積の拡大を抑制し得る。
【００２１】
本発明の第５の態様は、
上記第１乃至第３の態様のいずれか一つにおいて、
前記別の基板に配設した回路ブロックは、この別の基板に形成された接続路で隣接する回路ブロックが接続されていることを特徴とする電気光学装置である。
かかる第５の態様によれば電気光学基板とは異なる同一の別基板を利用してカスケード接続の接続路を確保することができる。
この結果、電気光学基板の面積の拡大を抑制し得る。
【００２２】
本発明の第６の態様は、
上記第１乃至第５の態様の何れか一つにおいて、
前記回路ブロックの半分はガラス基板上にＣＯＧ実装するとともに、残りの半分はフィルム上にＣＯＦ実装したことを特徴とする電気光学装置。
かかる第６の態様によれば、ＣＯＦ実装した部分を折り曲げる等して、全体の占有面積を最小にすることができる。
【００２３】
本発明の第７の態様は、
多数の電気光学素子を含む電気光学基板と、
前記電気光学素子の駆動に必要な信号を単一方向に転送するとともに前記電気光学素子を駆動する複数個の回路ブロックを２つのグループに分割して各グループ毎に前記回路ブロックをカスケード接続してなる駆動回路とを有し、
前記回路ブロックの半分を、前記電気光学基板の一辺に沿ってこの電気光学基板の表面
側でこの電気光学基板とは別の基板の表面に配設する一方、
前記回路ブロックの残りの半分を、前記電気光学基板の前記一辺に沿って前記電気光学基板の裏面側でこの電気光学基板とは別の基板の裏面に配設したことを特徴とする電気光学装置である。
かかる第７の態様によれば、回路ブロック及び接続路を電気光学基板とは別の基板に形成しているので、電気光学基板の面積を最小にすることができる。
【００２４】
本発明の第８の態様は
上記第７の態様において、
前記各グループにおける端部の回路ブロックから中央の回路ブロックに向けて前記信号がそれぞれ転送されるように構成したことを特徴とする電気光学装置である。
かかる第８の態様によれば、第７の態様を端部の回路ブロックから中央の回路ブロックに向けて前記信号がそれぞれ転送されるようにすることで実現し得る。
【００２５】
本発明の第９の態様は、
上記第７の態様において、
前記各グループにおける中央の回路ブロックから端部の回路ブロックに向けて前記信号がそれぞれ転送されるように構成したことを特徴とする電気光学装置である。
かかる第９の態様によれば、第７の態様を中央の回路ブロックから端部の回路ブロックに向けて前記信号がそれぞれ転送されるようにすることで実現し得る。このとき、階調データを中央部からそれぞれのグループに供給することができるので、かかる入力部分のレイアウトを合理的なものとすることができるという第２の態様と同様の作用・効果も得る。
【００２６】
本発明の第１０の態様は、
上記第１乃至第９の態様の何れか一つの電気光学装置を有することを特徴とする電子機器である。
かかる第１０の態様によれば安価で信頼性の高い電子機器を提供できる。
【発明を実施するための最良の形態】
【００２７】
以下、本発明の実施の形態を図面に基づき詳細に説明する。
図１は、本発明の実施の形態に係る電気光学装置の概略構成を示すブロック図である。同図に示すように、電気光学装置Ｉは、画像領域Ａ、走査線駆動回路１００、データ線駆動回路２００Ａ，２００Ｂ、制御回路３００及び電源回路５００を備える。これらのうち、画像領域Ａ、走査線駆動回路１００、データ線駆動回路２００Ａは矩形のガラス基板である電気光学基板１の表面に形成してある。データ線駆動回路２００Ｂは電気光学基板１の裏面側でこの電気光学基板１とは別の基板であるＦＰＣ２０６の裏面に配設してある。図中の点線はデータ線駆動回路２００ＢがＦＰＣ２０６の裏面に配設してあることを示している。制御回路３００はプリント回路基板（ＰＣＢ）である制御回路基板上に形成してある。
【００２８】
画像領域Ａには、Ｘ方向と平行にｍ本の走査線（記憶制御線ないしプログラム制御線）１０１及びｍ本の発光制御線１０２が形成され、さらにＸ方向と直交するＹ方向と平行にｎ本のデータ線１０３が形成されている。そして、走査線１０１とデータ線１０３との各交差点に対応してＯＬＥＤ素子を含む画素回路４００が各々設けられている。各画素回路４００には、電源電圧Ｖｄｄが電源配線Ｌを介して供給される。
【００２９】
走査線駆動回路１００は、複数の走査線１０１を順次選択するための走査信号Ｙ１、Ｙ２、Ｙ３、…、Ｙｍを生成すると共に発光制御信号Ｖｇ１、Ｖｇ２、Ｖｇ３、…、Ｖｇｍを生成する。走査信号Ｙ１〜Ｙｍ及び発光制御信号Ｖｇ１〜ＶｇｍはＹ転送開始パルスＤＹをＹクロック信号ＹＣＬＫに同期して順次転送することにより生成される。発光制御信号Ｖｇ１、Ｖｇ２、Ｖｇ３、…、Ｖｇｍは、各発光制御線１０２を介して各画素回路４００に各々供給される。
【００３０】
図２に走査信号Ｙ１〜Ｙｍと発光制御信号Ｖｇ１〜Ｖｇｍのタイミングチャートの一例を示す。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号Ｙ１がＨレベルになると、当該走査線１０１が選択されたことを示す。また、発光制御信号Ｖｇ１、Ｖｇ２、Ｖｇ３、…、Ｖｇｍとしては、例えば、走査信号Ｙ１、Ｙ２、Ｙ３、…、Ｙｍの論理レベルを反転した信号を用いる。
【００３１】
データ線駆動回路２００Ａ，２００Ｂは、単方向にのみ出力階調データＤｏｕｔを転送する複数個の回路ブロック（図１には図示せず。）を２つのグループに分割して各グループ毎に前記回路ブロックをカスケード接続してなる。かくして、前記回路ブロックの半分を、電気光学基板１の一方の端部からこの電気光学基板１の一辺に沿って配設することによりデータ線駆動回路２００Ａを形成するとともに、前記回路ブロックの残りの半分を、電気光学基板１の他方の端部からこの電気光学基板１の前記一辺に沿って裏返しに配設することによりデータ線駆動回路２００Ｂを形成している。かかるデータ線駆動回路２００Ａ，２００Ｂの具体的な構成は後に記載する各実施例で詳述する。
【００３２】
さらに、データ線駆動回路２００Ａ，２００Ｂは、制御回路からの出力階調データＤｏｕｔに基づいて、選択された走査線１０１に位置する画素回路４００の各々に対し階調ビット列Ｄ０〜Ｄ８に基づき生成した階調信号Ｉdataを供給する。この例において、階調ビット列Ｄ０〜Ｄ８は階調輝度を指示する電流信号Ｘ１、Ｘ２、Ｘ３、Ｘ４、…、Ｘｎとして再生される。また、階調ビット列Ｄ０〜Ｄ８は、各画素に対応した数のデジタルデータである前記出力階調データＤｏｕｔの構成要素であり、それぞれ各画素の輝度を表す階調を情報として含むようビット単位の信号を所定の配列で並べた、例えば９ビットの信号である。
【００３３】
制御回路３００は、Ｙクロック信号ＹＣＬＫ、Ｘクロック信号ＸＣＬＫ、Ｘ転送開始パルスＤＸ、Ｙ転送開始パルスＤＹ等の各種の制御信号を生成してこれらを走査線駆動回路１００及びデータ線駆動回路２００Ａ，２００Ｂへ出力する。また、制御回路３００は、外部から供給される入力階調データＤｉｎにガンマ補正等の画像処理を施して出力階調データＤｏｕｔを生成する。この出力階調データＤｏｕｔは、例えば９ビットの階調ビット列Ｄ０〜Ｄ８を所定の配列で並べたものである。ここで、制御回路３００は、ｎ本のデータ線１０３のそれぞれに対応する出力階調データＤｏｕｔを２つのグループに分割して各データ線駆動回路２００Ａ，２００Ｂに同期させて供給する機能も有する。
【００３４】
次に、画素回路４００について説明する。図３に、画素回路４００の回路図を示す。同図に示す画素回路４００は、ｉ行目に対応するものであり、電源電圧Ｖｄｄが供給される。画素回路４００は、４個のＴＦＴ４０１〜４０４と、容量素子４１０と、ＯＬＥＤ素子４２０とを備える。ＴＦＴ４０１〜４０４の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electro-luminescence）材料が用いられる。発光層の製造プロセスでは、インクジェット方式のヘッドから有機ＥＬ材料を液滴として吐出し、これを乾燥させている。
【００３５】
駆動トランジスタであるＴＦＴ４０１はｐチャネル型、スイッチングトランジスタであるＴＦＴ４０２〜４０４はｎチャネル型である。ＴＦＴ４０１のソース電極は電源配線Ｌに接続される一方、そのドレイン電極はＴＦＴ４０３のドレイン電極、ＴＦＴ４０４のドレイン電極及びＴＦＴ４０２のソース電極にそれぞれ接続される。
【００３６】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号Ｖｇｉが供給される。なお、ＯＬＥＤ素子４２０の陰極は、画素回路４００のすべてに対して共通の電極であり、電源における低位（基準）電位となっている。
【００３７】
このような構成において、走査信号ＹｉがＨレベルになると、ｎチャネル型ＴＦＴ４０２がオン状態となるので、ＴＦＴ４０１は、ゲート電極とドレイン電極とが互いに接続されたダイオードとして機能する。走査信号ＹｉがＨレベルになると、ｎチャネル型ＴＦＴ４０３も、ＴＦＴ４０２と同様にオン状態となる。この結果、データ線駆動回路２００の電流Ｉdataが、電源配線Ｌ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００３８】
走査信号ＹｉがＬレベルになると、ＴＦＴ４０３，４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電圧は、電流Ｉdataが流れたときの電圧に保持される。また、走査信号ＹｉがＬレベルになると、発光制御信号ＶｇｉがＨレベルとなる。このため、ＴＦＴ４０４がオンし、ＴＦＴ４０１のソース・ドレイン間には、そのゲート電圧に応じた注入電流Ｉoledが流れる。詳細には、この電流は、電源配線Ｌ→ＴＦＴ４０１→ＴＦＴ４０４→ＯＬＥＤ素子４２０という経路で流れる。
【００３９】
ここで、ＯＬＥＤ素子４２０に流れる注入電流Ｉoledは、ＴＦＴ４０１のゲート・ソース間電圧で定まるが、その電圧は、Ｈレベルの走査信号Ｙｉによって電流Ｉdataがデータ線１０３に流れたときに、容量素子４１０によって保持された電圧である。このため、発光制御信号ＶｇｉがＨレベルになったときに、ＯＬＥＤ素子４２０に流れる注入電流Ｉoledは、直前に流れた電流Ｉdataに略一致する。このように画素回路４００は、電流Ｉdataによって発光輝度を規定することから、アクティブ電流プログラム方式の回路である。
【００４０】
かかる本実施形態の電気光学装置によれば、単方向にのみ出力階調データＤｏｕｔを転送する回路ブロックを用いても出力階調データＤｏｕｔを２分割して転送することができる。すなわち、本実施形態は、データ線駆動回路２００Ａ，２００Ｂの構成に特徴を有するものである。
【００４１】
そこで、データ線駆動回路２００Ａ，２００Ｂの具体的な構成を中心に各実施例に基づき本発明に係る電気光学装置を詳細に説明する。
【００４２】
＜第１の実施例＞
図４は本実施例に係る電気光学装置を示すブロック線図である。同図に示すように、データ線駆動回路２００Ａ，２００Ｂは、複数の回路ブロックであるドライバＩＣＤｒ１乃至ＤｒＮを２つのグループに分割して各グループ毎にドライバＩＣＤｒ１，Ｄｒ２及びドライバＩＣＤｒＮ，Ｄｒ（Ｎ−１）を接続路２０１，２０１でそれぞれカスケード接続してなる。ここで、各ドライバＩＣＤｒ１乃至ＤｒＮは単方向（各ドライバＩＣＤｒ１乃至ＤｒＮの左端から右端に向かう方向）にのみ出力階調データＤｏｕｔを転送するシフトレジスタを含んでおり、その半分を、電気光学基板１の左端部からこの電気光学基板１の下辺に沿って電気光学基板１に配設するとともに、残りの半分を、電気光学基板１の前記一辺に沿って電気光学基板１の裏面側でこの電気光学基板１とは別の基板であるＦＰＣ２０６の裏面に配設してある。ここで、データ線駆動回路２００ＡにおけるドライバＩＣＤｒ１，Ｄｒ２を接続する接続路２０１のうちの一部は電気光学基板１とは別基板であるＦＦＣ２０７に形成してある。また、データ線駆動回路２００Ａにおける最端部（左端部）のドライバＩＣＤｒ１にはＦＦＣ２０５を介して出力階調データＤｏｕｔがＸクロック信号ＸＣＬＫ及びＸ転送開始パルスＤＸ等とともに供給される。ＦＦＣ２０５，２０７はその端部を電気光学基板１の縁部に固定してある。
【００４３】
同様に、データ線駆動回路２００Ｂにおける最端部（右端部）のドライバＩＣＤｒＮにはＦＰＣ２０６を介して出力階調データＤｏｕｔがＸクロック信号ＸＣＬＫ及びＸ転送開始パルスＤＸ等とともに供給される。ＦＰＣ２０６はその端部を電気光学基板１の縁部に固定してある。
【００４４】
このようにデータ線駆動回路２００Ａにおける最端部（左端部）のドライバＩＣＤｒ１及びデータ線駆動回路２００Ｂにおける最端部（右端部）のドライバＩＣＤｒＮには、それぞれＦＦＣ２０５又はＦＰＣ２０６を介して出力階調データＤｏｕｔがＸクロック信号ＸＣＬＫ及びＸ転送開始パルスＤＸ等とともに供給されるので、各ドライバＩＣＤｒ１乃至ＤｒＮは電気光学基板１の両端部から中央部に向けてシフトレジスタにより出力階調データＤｏｕｔを転送する。このとき、データ線駆動回路２００Ａ，２００Ｂを構成するドライバＩＣＤｒ１，Ｄｒ２とドライバＩＣＤｒＮ，ＤｒＩＣ（Ｎ−１）とは実装面の表裏が反対であるので上述のごとくそれぞれの端部から中央部に向けて支障なく出力階調データＤｏｕｔを転送することができる。また、出力階調データＤｏｕｔは所定の各データ線１０３（図１参照）に対応するよう２分割した後必要な並べ替えを制御回路３００（図１参照）で済ませてある。
【００４５】
かかる本実施例によればドライバＩＣＤｒ１乃至ＤｒＮのシフトレジスタのシフト方向が単方向であってもＸクロック信号ＸＣＬＫの周波数を半分に低減でき、また電源の負荷も半分にすることができる。
【００４６】
なお、上述の如くＦＦＣ２０７を介して接続路２０１を形成する必要は必ずしもなく、電気光学基板１に直接形成しても良いが、本実施例のごとくＦＦＣ２０５，２０７を利用した場合にはその分電気光学基板１の大形化を抑制しうる。したがって、特に信号線が増加し、ドライバＩＣＤｒ１，Ｄｒ２の長辺を利用してカスケード接続をする必要がある場合に有用なものとなる。
【００４７】
＜第２の実施例＞
図５は本実施例に係る電気光学装置を示すブロック線図である。同図に示すように、第１の実施例の場合と同様にデータ線駆動回路２００Ａ，２００Ｂは２分割されているが、本実施例ではデータ線駆動回路２００ＡのドライバＩＣＤｒ１，Ｄｒ２がＦＰＣ２０８の裏面に実装してある。一方、データ線駆動回路２００ＢのドライバＩＣＤｒＮ，Ｄｒ（Ｎ−１）は電気光学基板１に配設してあり、ＦＦＣ２０９に形成された接続路２０１を介してカスケード接続されている。
【００４８】
本実施例においては、出力階調データＤｏｕｔがＸクロック信号ＸＣＬＫ及びＸ転送開始パルスＤＸ等とともに中央部から供給される。すなわち、データ線駆動回路２００Ａにおける出力階調データＤｏｕｔは右端のドライバＩＣＤｒ２から左端のドライバＩＣＤｒ１に向かって転送されるとともに、データ線駆動回路２００Ｂにおける出力階調データＤｏｕｔは左端のドライバＩＣＤｒ（Ｎ−１）から右端のドライバＩＣＤｒＮに向かって転送されるように構成してある。
【００４９】
上述の点を除く他の構成は第１の実施例と同様であるので、同一部分には同一番号を付し重複する説明は省略する。
【００５０】
かかる本実施例によれば出力階調データＤｏｕｔを中央部から両端部に向けて転送するようになっているので、制御回路３００（図１参照）で形成した出力階調データＤｏｕｔ等の信号を中央部で集中的に供給することができ、配線の錯綜を回避して合理的なレイアウトとすることができる。
【００５１】
＜第３の実施例＞
図６は本実施例に係る電気光学装置を示すブロック線図である。同図に示すように、本実施例は２分割したドライバＩＣＤｒ１，Ｄｒ２及びドライバＩＣＤｒＮ、ＤｒＮ（Ｎ−１）を接続路２０１，２０１とともに電気光学基板１とは別の基板であるＦＰＣ２１０，２１１に配設したものである。また、本実施例ではドライバＩＣＤｒ１，Ｄｒ２がＦＰＣ２１０の裏面に配設してある。したがって、本実施例においては、第２の実施例と同様に、出力階調データＤｏｕｔがＸクロック信号ＸＣＬＫ及びＸ転送開始パルスＤＸ等とともに中央部から供給される。すなわち、第２の実施例と同様に、データ線駆動回路２００Ａにおける出力階調データＤｏｕｔは右端のドライバＩＣＤｒ２から左端のドライバＩＣＤｒ１に向かって転送されるとともに、データ線駆動回路２００Ｂにおける出力階調データＤｏｕｔは左端のドライバＩＣＤｒ（Ｎ−１）から右端のドライバＩＣＤｒＮに向かって転送される。
【００５２】
上述の点を除く他の構成は第２の実施例と同様であるので、同一部分には同一番号を付し重複する説明は省略する。
【００５３】
本実施例によれば第２の実施例と同様の作用・効果の他、ドライバＩＣＤｒ１乃至ＤｒＮの長辺を利用して信号の入出力を行うことが可能になるとともに、電気光学基板１の可及的な小形化も図り得る。
【００５４】
なお、ＦＰＣ２１０，２１１におけるドライバＩＣＤｒ１，Ｄｒ２とドライバＩＣＤｒ（Ｎ−１），ＤｒＮとの実装面を反転しても良い。この場合には、出力階調データＤｏｕｔはデータ線駆動回路２００Ａ，２００Ｂにおける端部のドライバＩＣＤｒ１、ＤｒＮから中心部に向かって転送される。
【００５５】
また、上記ＦＰＣ２１０，２１１は長尺になればなるほど高価になるばかりか温度、湿度等、周囲の環境条件で変形等を生起し易い。変形した場合にはＦＰＣ２１０，２１１を電気光学基板１に対して精度良く接続することができなくなる。
【００５６】
かかる問題は、ＦＰＣ２１０，２１１をドライバＩＣＤｒ１乃至ＤｒＮ毎に分割するか又は数個づつに分割して実装することで解決し得る。この場合には、隣接するドライバＩＣＤｒ１乃至ＤｒＮを接続する接続路２０１はその一部が電気光学基板１に形成され、この電気光学基板１を経由するように構成する。
＜他の実施形態＞
上記実施形態及び第１乃至第３の実施例では、画素回路がマトリクス状に配置された電気光学装置Ｉの場合について説明したが、本発明はこれに特に限定されない。例えば、画素回路がライン状に配置された電気光学装置（例えば、光書き込み型のプリンタや電子複写機などの書き込みヘッドなど）、低分子、高分子もしくはデンドリマー等の発光有機材料を用いた電気光学装置、液晶を用いた電気光学装置等であっても良い。また、照明器具であっても良い。
【００５７】
なお、上記実施の形態ではデータ線駆動回路２００Ａ，２００Ｂを２分割して所定の回路を構成したが、駆動回路をこれに限定するものではない。必要に応じ走査線駆動回路１００も同様に構成することができ、同様の作用・効果を得る。
【００５８】
＜応用例＞
次に、上述した実施形態に係る電気光学装置Ｉを適用した電子機器について説明する。図７に、電気光学装置Ｉを適用したモバイル型のパーソナルコンピュータの構成を示す。パーソナルコンピュータ２０００は、表示ユニットとしての電気光学装置Ｉと本体部２０１０を備える。本体部２０１０には、電源スイッチ２００１及びキーボード２００２が設けられている。この電気光学装置はＯＬＥＤ素子を用いるので、視野角が広く見易い画面を表示できる。
【００５９】
図８に、電気光学装置Ｉを適用した携帯電話機の構成を示す。携帯電話機３０００は、複数の操作ボタン３００１及びスクロールボタン３００２、並びに表示ユニットとしての電気光学装置Ｉを備える。スクロールボタン３００２を操作することによって、電気光学装置Ｉに表示される画面がスクロールされる。
【００６０】
図９に、電気光学装置Ｉを適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置Ｉを備える。電源スイッチ４００２を操作すると、住所録やスケジュール帳といった各種の情報が電気光学装置Ｉに表示される。
【００６１】
さらに、フィールドエミッション素子（ＦＥＤ）、表面電動型エミッション素子（ＳＥＤ）、弾道電子放出素子（ＢＳＤ）等の自発光素子を用いた表示装置、液晶表示装置等にも好適に適用し得る。
【００６２】
なお、電気光学装置Ｉが適用される電子機器としては、図７乃至図９に示すものの他、大画面テレビ、コンピュータモニター、表示兼用照明装置、携帯電話機、ゲーム機、電子ペーパー、運転操作パネル、ビデオカメラ、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置が適用可能である。また、電気光学素子を光源として利用するプリンタ、スキャナ等にも有効に応用することができる。
【図面の簡単な説明】
【００６３】
【図１】本発明の実施の形態に係る電気光学装置を示すブロック線図である。
【図２】図１における走査信号と発光制御信号を示すタイミングチャートである。
【図３】図１における画素回路を示す回路図である。
【図４】本発明の第１の実施例を示すブロック線図である。
【図５】本発明の第２の実施例を示すブロック線図である。
【図６】本発明の第３の実施例を示すブロック線図である。
【図７】電気光学装置を適用したパーソナルコンピュータを示す斜視図である。
【図８】電気光学装置を適用した携帯電話機の構成を示す斜視図である。
【図９】電気光学装置を適用した携帯情報端末の構成を示す斜視図である。
【図１０】従来技術に係る第１の電気光学装置を示すブロック線図である。
【図１１】従来技術に係る第２の電気光学装置を示すブロック線図である。
【図１２】従来技術に係る第３の電気光学装置を示すブロック線図である。
【符号の説明】
【００６４】
Ｉ  電気光学装置、  １  電気光学基板、  １０３  データ線、  ２００Ａ，２００Ｂ  データ線駆動回路、  ２０１  接続路、  ３００  制御回路、  ５００  電源回路、  Ａ  画像領域、  Ｄｏｕｔ  出力階調データ、  Ｄｒ１〜ＤｒＮ  ドライバ、  Ｖｄｄ  電源電圧、  ＸＣＬＫ，ＹＣＬＫ  クロック信号
【図１】
2007114346.tif 000003
【図２】
2007114346.tif 000004
【図３】
2007114346.tif 000005
【図４】
2007114346.tif 000006
【図５】
2007114346.tif 000007
【図６】
2007114346.tif 000008
【図７】
2007114346.tif 000009
【図８】
2007114346.tif 000010
【図９】
2007114346.tif 000011
【図１０】
2007114346.tif 000012
【図１１】
2007114346.tif 000013
【図１２】
2007114346.tif 000014